(57)【要約】  一実施形態に係る携帯端末は、操作面に対する押下操作を受付可能な押下検出機構を有するタッチパネルと、タッチパネルの操作面に接触物が接触してから離れるまでの間に接触物を滑らせる操作である第一操作と、押下検出機構を介し第一操作中に行われる押下操作である第二操作とを検出する検出手段と、第一操作と第二操作とからなる認証パターンを記憶する記憶手段と、検出手段により検出された第一操作及び第二操作からなる入力パターンと認証パターンとの照合結果に基づいて、情報端末の機能の実行の有無を制御する実行制御手段と、を備える。
2013137455.tif 000002
【特許請求の範囲】
【請求項１】
操作面に対する押下操作を受付可能な押下検出機構を有するタッチパネルと、
前記タッチパネルの操作面に接触物が接触してから離れるまでの間に当該接触物を滑らせる操作である第一操作と、前記押下検出機構を介し、当該第一操作中に行われる前記押下操作である第二操作とを検出する検出手段と、
前記第一操作と前記第二操作とからなる認証パターンを記憶する記憶手段と、
前記検出手段により検出された前記第一操作及び前記第二操作からなる入力パターンと前記認証パターンとの照合結果に基づいて、情報端末の機能の実行の有無を制御する実行制御手段と、
を備えている情報端末。
【請求項２】
前記検出手段によって前記タッチパネルから離れる際に前記押下操作が検出されなかった場合には、前記タッチパネルから前記接触物が離れるまでに検出された操作に基づいて前記入力パターンを構成するように前記実行制御手段を制御し、前記検出手段によって前記タッチパネルから前記接触物が離れる際に前記押下操作が検出された場合には、引き続いて検出される操作も含めて前記入力パターンを構成するように前記実行制御手段を制御する、入力制御手段を更に備えている、
請求項１に記載の情報端末。
【請求項３】
前記タッチパネルには、複数の認証ポイントが表示され、
前記検出手段は、前記第一操作中に触れられる認証ポイントと、当該認証ポイントごとの前記第二操作の有無を検出し、
前記記憶手段は、前記第一操作中に触れられる認証ポイントと、当該認証ポイントごとの前記第二操作の有無とからなる認証パターンを記憶し、
前記実行制御手段は、前記検出手段により検出された認証ポイント及び当該認証ポイントごとの前記第二操作の有無からなる入力パターンと前記認証パターンとを照合結果に基づいて、前記情報端末の機能の実行の有無を制御する、
請求項１又は２に記載の情報端末。
【請求項４】
前記タッチパネルには、互いに直交する方向に３つずつ、合計９つの認証ポイントが表示される、
請求項３に記載の情報端末。
【請求項５】
前記検出手段は、前記タッチパネルに対する前記第一操作の軌跡と当該第一操作中に前記第二操作が行われたときの押下位置とを検出し、
前記記憶手段は、前記タッチパネルに対する前記第一操作の軌跡と、当該第一操作中に前記第二操作が行われたときの押下位置とからなる認証パターンを記憶し、
前記実行制御手段は、前記検出手段により検出された前記第一操作の軌跡及び当該第一操作中に前記第二操作が行われたときの押下位置からなる入力パターンと前記認証パターンとの照合結果に基づいて、前記情報端末の機能の実行の有無を制御する、
請求項１又は２に記載の情報端末。
【請求項６】
前記機能の実行とは、ロックの解除である、
請求項１〜５の何れか一項に記載の情報端末。
【請求項７】
前記機能の実行とは、アプリケーションの起動である、
請求項１〜６の何れか一項に記載の情報端末。
【請求項８】
操作面に対する押下操作を受付可能な押下検出機構を有するタッチパネルを備えた情報端末における実行制御方法において、
前記タッチパネルの操作面に接触物が接触してから離れるまでの間に当該接触物を滑らせる操作である第一操作と、前記押下検出機構を介し、当該第一操作中に行われる前記押下操作である第二操作とを検出する検出ステップと、
前記第一操作と前記第二操作とからなる認証パターンを記憶手段に記憶させる記憶ステップと、
前記検出ステップにより検出された前記第一操作及び前記第二操作からなる入力パターンと前記認証パターンとの照合結果に基づいて、前記情報端末の機能の実行の有無を制御する実行制御ステップと、
を含んでいる、実行制御方法。
【発明の詳細な説明】
【技術分野】
【０００１】
本発明は、情報端末及び実行制御方法に関する。
【背景技術】
【０００２】
近年、携帯端末では、画面接触時の誤操作を防止したり、端末を紛失などした時に他人が情報端末を操作することを防止したりするために、自動又は手動で情報端末の操作ができない状態にする（以下、「ロック（lock）をかける」とも称す）機能が搭載されているのが一般的である。そして、情報端末のロックを解除するために、例えば、タッチパネルに表示された仮想的なキーボードから暗証番号を入力させたり、タッチパネル上を指などでなぞらせて軌跡情報を入力させたり（例えば、特許文献１）することが行われている。
【先行技術文献】
【特許文献】
【０００３】
【特許文献１】特開２００７−２５７１４０号公報
【発明の概要】
【発明が解決しようとする課題】
【０００４】
しかしながら、ユーザに入力される暗証番号としての暗証情報は、利便性があるものの、セキュリティレベルとしては比較的脆弱である。また、上記特許文献１に記載の方法、及びタッチパネルにあらかじめ表示されたポイントをなぞることによりその軌跡を入力させる方法（パターン画面ロックシステム）などは、他人から容易にその軌跡を判別することができるので、セキュリティレベルとしては脆弱である。【０００５】
そこで、本発明の目的は、利便性を失うことなく、セキュリティレベルを上げることが可能な情報端末および実行制御方法を提供することにある。
【課題を解決するための手段】
【０００６】
本発明の一側面に係る情報端末は、操作面に対する押下操作を受付可能な押下検出機構を有するタッチパネルと、タッチパネルの操作面に接触物が接触してから離れるまでの間に当該接触物を滑らせる操作である第一操作と、押下検出機構を介し、当該第一操作中に行われる押下操作である第二操作とを検出する検出手段と、第一操作と第二操作とからなる認証パターンを記憶する記憶手段と、検出手段により検出された第一操作及び第二操作からなる入力パターンと認証パターンとの照合結果に基づいて、情報端末の機能の実行の有無を制御する実行制御手段と、を備えている。【０００７】
また、本発明の一側面に係る実行制御方法は、操作面に対する押下操作を受付可能な押下検出機構を有するタッチパネルを備えた情報端末における実行制御方法において、タッチパネルの操作面に接触物が接触してから離れるまでの間に当該接触物を滑らせる操作である第一操作と、押下検出機構を介し、当該第一操作中に行われる押下操作である第二操作とを検出する検出ステップと、第一操作と第二操作とからなる認証パターンを記憶手段に記憶させる記憶ステップと、検出ステップにより検出された第一操作及び第二操作からなる入力パターンと認証パターンとの照合結果に基づいて、情報端末の機能の実行の有無を制御する実行制御ステップと、を含んでいる。【０００８】
ここでいう第一操作とは、例えば、指及びタッチペンなどを、タッチパネルの操作画面に触れた状態で滑らせる操作である。通常、一回の第一操作は、タッチパネルの操作面に触れてから離れるまでの操作、いわゆる一筆書きでできる操作のことをいうが、本願では後述するように、特定の条件で一度操作面から接触物を離し、再び操作面に接触をした場合でも、一回の第一操作とみなす場合がある。【０００９】
この情報端末及び実行制御方法では、まず、タッチパネルが押下されたことを検出可能な構成となっているので、タッチパネルに対して第一操作だけでなく、第二操作が実行できる。このため、第一操作と第二操作とを組み合わせた操作による入力パターンを認証パターンとして利用できる。この入力パターンは、第一操作だけで入力される入力パターンと比較して、他人が入力内容を認識するのは困難であるので、セキュリティレベルを向上させることができる。【００１０】
また、この情報端末及び実行制御方法によれば、タッチパネルに対する第一操作と当該第一操作中に行われる第二操作とからなる認証パターンを記憶しておき、情報端末の機能を実行する際に、タッチパネルに対する第一操作と当該第一操作中に行われる第二操作とを検出する。そして、検出された第一操作及び当該第一操作中に行われる第二操作とからなる入力パターンと認証パターンとの照合結果に基づいて、情報端末の機能の実行の有無を制御する。これにより、タッチパネルの簡単な操作をもってして高度なセキュリティを実現することができる。【００１１】
また、一実施形態において、情報端末は、検出手段によってタッチパネルから離れる際に押下操作が検出されなかった場合には、タッチパネルから接触物が離れるまでに検出された操作に基づいて入力パターンを構成するように実行制御手段を制御し、検出手段によってタッチパネルから接触物が離れる際に押下操作が検出された場合には、引き続いて検出される操作も含めて入力パターンを構成するように実行制御手段を制御する、入力制御手段を更に備えていてもよい。【００１２】
このような構成では、従来、ユーザがタッチパネルの操作面から指を離した瞬間に入力（第一操作）は終了となってしまうところ、第二操作を第一操作の最後に組み入れることで、再び操作面に接触した部分から継続して入力させることができる。この継続性により、例えば、物理的に離れた二箇所をなぞることにより形成される認証パターン（入力パターン）など、より複雑な認証パターンを設定することが可能となり、セキュリティレベルを向上させることができる。【００１３】
また、一実施形態において、タッチパネルには、複数の認証ポイントが表示され、検出手段は、第一操作中に触れられる認証ポイントと、当該認証ポイントごとの第二操作の有無を検出し、記憶手段は、第一操作中に触れられる認証ポイントと、当該認証ポイントごとの第二操作の有無とからなる認証パターンを記憶し、実行制御手段は、検出手段により検出された認証ポイント及び当該認証ポイントごとの第二操作の有無からなる入力パターンと認証パターンとの照合結果に基づいて、情報端末の機能の実行の有無を制御してもよい。【００１４】
このような構成では、第一操作中に触れられる認証ポイントと、当該認証ポイントごとの当該認証ポイント上での第二操作の有無とからなる認証パターンを記憶し、情報端末の機能を実行する際に、第一操作中に触れられる認証ポイントと、当該認証ポイントごとの第二操作の有無を検出する。そして、検出された認証ポイント及び当該認証ポイントごとの第二操作の有無と認証パターンとの照合結果に基づいて、情報端末の機能の実行の有無を制御する。これにより、認証ポイントを通過するように指でなぞるといった、直感的な入力を促すことができると共に、パスワード及びＰＩＮなどに比べ、素早く入力を行わせることができる。【００１５】
また、一実施形態において、タッチパネルに、互いに直交する方向に３つずつ、合計９つの認証ポイントを表示させることができる。【００１６】
また、一実施形態において、検出手段は、タッチパネルに対する第一操作の軌跡と当該第一操作中に第二操作が行われたときの押下位置とを検出し、記憶手段は、タッチパネルに対する第一操作の軌跡と、当該第一操作中に第二操作が行われたときの押下位置とからなる認証パターンを記憶し、実行制御手段は、検出手段により検出された第一操作の軌跡及び当該第一操作中に第二操作が行われたときの押下位置からなる入力パターンと認証パターンとの照合結果に基づいて、情報端末の機能の実行の有無を制御してもよい。【００１７】
このような構成では、タッチパネルに対する第一操作の軌跡と、当該第一操作中に第二操作が行われたときの押下位置とからなる認証パターンを記憶し、情報端末の機能を実行する際に、タッチパネルに対する第一操作の軌跡と当該第一操作中に第二操作が行われたときの押下位置とを検出する。そして、第一操作の軌跡及び当該第一操作中に第二操作が行われたときの押下位置からなる入力パターンと認証パターンとの照合結果に基づいて、情報端末の機能の実行の有無を制御する。これにより、他人が入力内容を正確に認識されにくくすることができる。【００１８】
また、一実施形態において、機能の実行をロックの解除としたり、アプリケーションの起動としたりすることができる。これにより、タッチパネルの簡単な操作をもって、機能の実行をしたり、ロックを解除したりすることができる。
【発明の効果】
【００１９】
本発明の一側面によれば、利便性を失うことなく、セキュリティレベルを上げることが可能となる。
【図面の簡単な説明】
【００２０】
【図１】一実施形態に係る携帯端末の外観構成を示す外観図である。
【図２】図１に示す携帯端末のクリック機構を示す断面図である。
【図３】図１に示す携帯端末の機能構成を示すブロック図である。
【図４】タッチパネルディスプレイに表示されるロック解除画面の一例を示した図である。
【図５】入力パターンの一例をそれぞれ示した図である。
【図６】図１に示す携帯端末のハードウェア構成を示す図である。
【図７】図１に示す携帯端末における実行制御処理の流れを示したフローチャートである。
【図８】他の実施形態に係る携帯端末のロック解除方法の一例を説明するための図である。
【発明を実施するための形態】
【００２１】
添付図面を参照しながら一実施形態について説明する。可能な場合には、同一の部分に同一の符号を付して、重複する説明を省略する。図面の寸法比率は、説明のものと必ずしも一致していない。また、説明中、「上」、「下」等の方向を示す語は、図面に示された状態に基づいた便宜的な語である。
【００２２】
図１は、本実施形態の携帯端末の外観構成を示す外観図である。図１に示されるように、携帯端末（情報端末）１は、タッチパネルディスプレイ（タッチパネル）２を備える通信端末であって、このタッチパネルディスプレイをタッチ操作することにより、アプリケーションの起動、及びアプリケーション内におけるオブジェクト（アイコン）に対応する機能などを実行することができる。携帯端末１は、タッチパネルディスプレイ２の下にクリック機構１０を備えている。ユーザは、タッチパネルディスプレイ２を押下することによりクリック操作（タッチパネルの操作面を押下する操作）をすることができる。
【００２３】
図２（ａ）及び（ｂ）は、携帯端末に備わるクリック機構（押下検出機構）を示す断面図である。タッチパネルディスプレイ２の操作面２ａの裏側には、ユーザからの押下によりクリック感を与えるとともに、その押下操作を検出（受付）するためのクリック機構１０が配置されている。クリック機構１０は、基盤１３上にタッチパネルディスプレイ２を支持する支持部材１１と、基盤１３上に配置された接触センサ１２とを有している。クリック機構１０では、ユーザにより押下されたタッチパネルディスプレイ２が撓んで接触センサ１２に接触することにより（図２（ｂ）参照）、タッチパネルディスプレイ２が押下されたことを検出する。これにより、ユーザにクリック感を与えるとともに、その押下を検出することができる。なお、クリック機構は、上述したものに限定されるものではなく、タッチパネルディスプレイ２の背面、又はタッチパネルディスプレイ２を支持する基盤（図示せず）に設けられたタクトスイッチ（図示せず）などを設け、上下方向（操作面に直交する方向）に移動可能とし、タッチパネルディスプレイ２を押し下げた時にタクトスイッチを作動させる構成とすることにより実現することもできる。
【００２４】
図３は、本実施形態の携帯端末１の機能構成を示すブロック図である。図３に示される通り、携帯端末１は、タッチパネルディスプレイ２、認証要求部２１、スワイプ（swipe）操作検出部３１とクリック操作検出部３２とを有する検出部（検出手段）３、タッチパネル制御部（入力制御手段）２２、及び認証部２５と機能制御部２６とを有している実行制御部（実行制御手段）２３と、データベース（記憶手段）４とを備えている。以下、各構成について説明する。
【００２５】
タッチパネルディスプレイ２は、ユーザの指等（タッチペン等を含む）のタッチ位置を検出する部分である。また、タッチパネルディスプレイ２は、ディスプレイとしての機能を有し、例えば、後述する認証要求部２１から指示信号が入力された場合には、後述するロック解除画面（図４参照）、及びロックを解除する際の認証パターンを登録する登録画面などを表示する。また、後述する認証部２５から許可信号が入力された場合には、ロックが解除されたことを報知する画面を表示する。認証部２５から拒否信号が入力された場合には、再びロック解除画面を表示する。
【００２６】
次に、本実施形態の携帯端末１のタッチパネルディスプレイ２に表示されるロック解除画面について、図４を用いて説明する。タッチパネルディスプレイ２は、後述する認証要求部２１から指示信号が入力された場合には、縦方向に３つ、横方向に３つずつ並べられた、合計９つの認証ポイント（ポイント）５１（５１ａ〜５１ｉ）が表示される。
【００２７】
認証要求部２１は、認証を要する事象が発生した時に、スワイプ操作検出部３１及びクリック操作検出部３２を有する検出部３、タッチパネルディスプレイ２に対して認証処理の開始を要求する部分である。上記事象が発生すると、認証要求部２１は、その事象を検知し、認証処理を開始させるための信号をスワイプ操作検出部３１及びクリック操作検出部３２を有する検出部３、及びタッチパネルディスプレイ２に出力する。
【００２８】
検出部３は、タッチパネルディスプレイ２に対するスワイプ操作（タッチパネルの操作面に接触物を滑らせる操作である第一操作）と当該スワイプ操作中に行われるクリック（タッチパネルの操作面を押下する操作である第二操作）とを検出する部分であり、スワイプ操作を検出するスワイプ操作検出部３１と、当該スワイプ操作中に行われるクリックを検出するクリック操作検出部３２とを有している。
【００２９】
スワイプ操作検出部３１は、タッチパネルディスプレイ２の操作面２ａに対するスワイプ操作を検出する部分である。この操作は、タッチパネルディスプレイ２の基本的な機能を利用して取得することができる。本実施形態の携帯端末１では、スワイプ操作検出部３１は、スワイプ操作中に触れられる認証ポイント５１を検出する。具体的には、ユーザによる接触があった認証ポイント（５１ａ〜５１ｉのいずれか）となる座標である座標情報を取得するとともに、接触があった認証ポイント座標部分の接触順序情報を取得する。スワイプ操作検出部３１は、座標情報及び座標接触順序情報を、後述するタッチパネル制御部２２に出力する。
【００３０】
クリック操作検出部３２は、上記スワイプ操作中に行われるタッチパネルディスプレイ２の操作面２ａをクリックする操作を検出する部分である。この操作は、上述したクリック機構１０に含まれる接触センサ１２などの情報を利用して取得することができる。本実施形態の携帯端末１では、クリック操作検出部３２は、認証ポイント５１（５１ａ〜５１ｉ）ごとのクリックの有無を検出する。具体的には、ユーザによりクリックされたときの座標を取得する。クリック操作検出部３２は、この座標情報をタッチパネル制御部２２に出力する。なお、クリックされた位置の座標情報は、例えば、スワイプ操作開始時からタイマを起動させ、クリック時における指の接触位置などをタッチパネルディスプレイ２などから取得すればよい。
【００３１】
ここで、タッチパネルディスプレイ２の操作面２ａをなぞる操作であるスワイプ操作は、通常、タッチパネルディスプレイ２での操作面２ａに触れてから離れるまでの操作、いわゆる一筆書きでできる操作のことをいう。本実施形態の携帯端末１のタッチパネル制御部２２は、タッチパネルディスプレイ２の操作面２ａから離れる際にクリック操作を行った場合には、再び、タッチパネルディスプレイ２の操作面２ａに触れた位置から離れるまでの一連の操作を、スワイプ操作として検出する。
【００３２】
図５（ａ）及び（ｂ）は、入力パターンの一例をそれぞれ示した図である。本実施形態の携帯端末１のタッチパネル制御部２２では、例えば、図５（ａ）に示すような、認証ポイント５１ａ、認証ポイント５１ｂ、認証ポイント５１ｃの順番で触れ、認証ポイント５１ｃでクリックした後、指を操作面２ａから離さないで、続けて認証ポイント５１ｆ、認証ポイント５１ｉの順番で触れた後で操作面２ａから指を離す操作を行った場合には、「認証ポイント５１ａ、認証ポイント５１ｂ、認証ポイント５１ｃ、認証ポイント５１ｆ、認証ポイント５１ｉの順番で触れ、認証ポイント５１ｃをクリックした」という入力パターンを取得することができる。また、例えば、図５（ｂ）に示すような、認証ポイント５１ｉ、認証ポイント５１ｈ、認証ポイント５１ｇの順番で触れ、認証ポイント５１ｇでクリックし、再び、認証ポイント５１ｅ、認証ポイント５１ｄをこの順番で触れた後で操作面２ａから指を離す操作を行った場合には、「認証ポイント５１ｉ、認証ポイント５１ｈ、認証ポイント５１ｇ、認証ポイント５１ｅ、認証ポイント５１ｄの順番で触れ、認証ポイント５１ｇ及び認証ポイント５１ｅをクリックした」という入力パターンを取得することができる。
【００３３】
タッチパネル制御部２２は、スワイプ操作検出部３１及びクリック操作検出部３２によって検出されたスワイプ操作及びクリック操作に基づいて、スワイプ操作及びクリック操作からなる入力パターンとして取得する部分である。また、タッチパネル制御部２２は、ユーザがタッチパネルディスプレイ２の操作面２ａから指を離した際に、離した際の認証ポイントにおいてクリックがあったかどうかを判別する部分である。
【００３４】
タッチパネル制御部２２は、ユーザが認証ポイントから指を離した時の認証ポイントでクリックがあったことが検出された場合には、認証要求部２１に対し、タッチパネルディスプレイ２が認証処理を継続するように要求する。一方、タッチパネル制御部２２は、上記クリックが検出されていない場合には、後述する実行制御部２３に含まれる認証部２５へ、スワイプ操作検出部３１とクリック操作検出部３２とから取得した入力パターンを出力する。
【００３５】
データベース４は、携帯端末１における各種データを記憶する部分である。本実施形態の携帯端末１におけるデータベース４では、タッチパネルディスプレイ２に対するスワイプ操作と当該スワイプ操作中に行われるクリック操作とからなる認証パターンも記憶する。本実施形態の携帯端末１では、データベース４は、スワイプ操作中に触れられる認証ポイント５１（認証ポイント５１ａ〜５１ｉから任意に選択される）と、当該認証ポイント５１ごとのクリックの有無とからなる認証パターンを記憶する。認証パターンは、例えば、「認証ポイント５１ａ、認証ポイント５１ｂ、認証ポイント５１ｃ、認証ポイント５１ｆ、認証ポイント５１ｉをこの順番で触れ、認証ポイント５１ｃでクリックする」いった情報として記憶することができる（図５（ａ）参照）。
【００３６】
実行制御部２３は、検出部３により検出されたスワイプ操作及び当該スワイプ操作中に行われるクリック操作からなる入力パターンとデータベース４に記憶された認証パターンとに基づいて、携帯端末１の機能の実行の有無を制御する部分であり、認証部２５と機能制御部２６とを有している。
【００３７】
認証部２５は、検出部３により検出された認証ポイント５１（５１ａ〜５１ｉのうちいずれか、又は複数）及び当該認証ポイント５１（５１ａ〜５１ｉのうちいずれか、又は複数）毎のクリック操作の有無と、データベース４に格納された認証パターンとを照合する。具体的には、スワイプ操作検出部３１とクリック操作検出部３２とによる検出結果を検出順に並べた入力パターンと、データベース４に記憶されている認証パターンとを照合する。
【００３８】
機能制御部２６は、認証部２５による照合結果に基づいて、携帯端末１の機能の実行の有無を制御する。具体的には、スワイプ操作検出部３１とクリック操作検出部３２とによる検出結果を検出順に並べた入力パターンとデータベース４に記憶されている認証パターンとを照合し、両者が一致する場合に、携帯端末１のロック解除を実行させる。
【００３９】
図６は、携帯端末のハードウェア構成を示す図である。携帯端末１は、図６に示すように、後述する携帯端末１における実行制御処理、オペレーティングシステム、アプリケーションプログラムなどを実行するＣＰＵ（central processing unit）６１、ＲＯＭ（read only memory）及びＲＡＭ（random access memory）で構成される主記憶部６２、上述のデータベース（図１参照）など、ハードディスク及びメモリなどで構成される補助記憶部６３、メニューボタン及びタッチパネルディスプレイ２（図１参照）などの入力部６４、並びにタッチパネルディスプレイ２（図１参照）などの出力部６５で構成される。上述した認証要求部２１、検出部３、タッチパネル制御部２２、及び実行制御部２３における各機能は、ＣＰＵ６１および主記憶部６２に所定のソフトウェアを読み込ませ、ＣＰＵ６１の制御の下で、実行される。
【００４０】
以下、本実施形態の特徴部分であるユーザに対して実行制御方法を実施する際の処理について、図７を用いて説明する。図７は、携帯端末における実行制御処理の流れを示したフローチャートである。
【００４１】
図７に示すように、携帯端末１では、タッチパネルディスプレイ２の操作面２ａに対するスワイプ操作と当該スワイプ操作中に行われるクリック操作とからなる認証パターンをデータベース４に記憶させる（Ｓ１：記憶ステップ）。この記憶ステップＳ１は、予め実行されていることが一般的である。
【００４２】
次に、認証要求部２１は、タッチパネルディスプレイ２に、図４に示すような認証ポイント５１（５１ａ〜５１ｉ）を表示させる（Ｓ２）。具体的には、例えば、携帯端末１がロックされた状態において、ユーザにより何か操作がなされると、認証要求部２１は認証処理を開始する。認証要求部２１は、タッチパネルディスプレイ２に対し、ロック解除を行うための３×３の認証ポイント５１（５１ａ〜５１ｉ）によって構成されるパターン入力画面を表示する（図４参照）。また、認証要求部２１は、ユーザの入力に備え、スワイプ操作検出部３１及びクリック操作検出部３２に対し、スワイプ操作及びクリック操作の検出を開始させる（Ｓ２）。
【００４３】
次に、スワイプ操作検出部３１は、指がタッチパネルディスプレイ２の操作面２ａに触れられたことを検出すると、スワイプ操作の取得を開始する（Ｓ３）。
【００４４】
次に、スワイプ操作検出部３１及びクリック操作検出部３２は、タッチパネルディスプレイ２の操作面２ａに対するスワイプ操作と、当該スワイプ操作中に行われるタッチパネルディスプレイ２の操作面２ａに対するクリック操作とを検出する（Ｓ４：検出ステップ）。具体的には、タッチパネルディスプレイ２により検出された認証ポイント５１（５１ａ〜５１ｉ）の座標情報、認証ポイント５１（５１ａ〜５１ｉ）毎のクリックの有無を検出したクリック情報を、それぞれスワイプ操作検出部３１とクリック操作検出部３２とから取得する。
【００４５】
次に、スワイプ操作検出部３１は、指がタッチパネルディスプレイ２の操作面２ａから離れたことを検出する（Ｓ５）。
【００４６】
スワイプ操作検出部３１によって、指がタッチパネルディスプレイ２の操作面２ａから離れたことが検出されたときは、タッチパネル制御部２２は、タッチパネルディスプレイ２から指を離す時の最終の認証ポイント５１（５０ａ〜５０ｉのいずれか）をクリックしているか否かを判定する。ここで、タッチパネル制御部２２によって、最終の認証ポイント５１（５０ａ〜５０ｉのいずれか）をクリックしていると判定された場合（Ｓ６：ＹＥＳ）、ユーザが操作面２ａから指を離しても、次工程（Ｓ７）で照合処理は行われず、再び、ステップＳ４に戻る。そして、スワイプ操作検出部３１及びクリック操作検出部３２は、ユーザが操作面２ａに再び接触した認証ポイント５１（５０ａ〜５０ｉのいずれか）から、タッチパネルディスプレイ２の操作面２ａに対するスワイプ操作と当該スワイプ操作中に行われるタッチパネルディスプレイ２の操作面２ａに対するクリック操作との検出を継続する。
【００４７】
この場合の例を、図５（ｂ）を用いて説明する。認証ポイント５１ｉから認証ポイント５１ｈを通り認証ポイント５１ｇまでスワイプ操作をし、認証ポイント５１ｇでクリックをした後で操作面２ａから指を離し、再び認証ポイント５１ｅから認証ポイント５１ｄまでスワイプ操作をし、操作面２ａから指を離した場合、「認証ポイント５１ｉ、認証ポイント５１ｈ、認証ポイント５１ｇ、認証ポイント５１ｅ、認証ポイント５１ｄをこの順番で触れ、認証ポイント５１ｇでクリックした」という入力パターンを、認証パターンとの照合の対象として認証部２５に出力する。
【００４８】
図７に戻り、一方、タッチパネル制御部２２によって、最終の認証ポイント５１（５０ａ〜５０ｉのいずれか）をクリックしていないと判定された場合（Ｓ６：ＮＯ）、指をタッチパネルディスプレイ２から離した段階まで、すなわち、ステップＳ３〜ステップＳ５において取得された、タッチパネルディスプレイ２の操作面２ａに対するスワイプ操作と当該スワイプ操作中に行われるタッチパネルディスプレイ２の操作面２ａに対するクリック操作とからなる入力パターンを、認証パターンとの照合の対象として認証部２５に出力する。
【００４９】
この場合の例を、図５（ｂ）を用いて説明する。認証ポイント５１ｉから認証ポイント５１ｈを通り、認証ポイント５１ｇまでスワイプ操作をし、最終の認証ポイント５１ｇをクリックしなかった場合、「認証ポイント５１ｉ、認証ポイント５１ｈ、認証ポイント５１ｇをこの順番で触れた」という入力パターンを、認証パターンとの照合の対象として認証部２５に出力する。
【００５０】
次に、認証部２５は、データベース４に格納されている認証パターンと、ステップＳ４〜ステップＳ５において検出された情報からなる入力パターンとの照合を行う（Ｓ７：実行制御ステップ）。ここで、認証部２５が、認証パターンと入力パターンとが一致したと判定すれば（Ｓ７：ＹＥＳ）、機能制御部２６にその旨の情報を出力する。
【００５１】
一方、認証部２５が、認証データと検出情報とが一致しないと判定すれば（Ｓ７：ＮＯ）、ステップＳ３〜ステップＳ５において検出された情報からなる入力パターンをリセット（破棄）し、認証要求部２１にその旨の情報を出力する（Ｓ９）。認証部２５から上記情報が入力された認証要求部２１は、タッチパネルディスプレイ２に、再びパターン入力画面を表示させる。
【００５２】
本実施形態の携帯端末１では、認証部２５は、認証パターンが触れられた順番と、当該認証パターン毎のクリックの有無とに基づいて、入力パターンと認証パターンとの照合を行っている。
【００５３】
認証部２５から認証データと検出情報とが一致した旨の情報が入力された機能制御部２６は、ロック解除処理を実行すると共に、タッチパネルディスプレイ２にロックが解除したことを報知する画面を表示する（Ｓ８：実行制御ステップ）。
【００５４】
以上に説明したように、本実施形態の携帯端末１によれば、図２（ａ）及び（ｂ）に示すようなクリック機構１０を備えているので、タッチパネルディスプレイ２に対してスワイプ操作だけでなく、クリック操作が実行できる。このため、スワイプ操作とクリック操作とを組み合わせた入力パターンを認証パターンとして利用できる。この入力パターンは、スワイプ操作だけで入力される入力パターンと比較して、他人が入力内容を認識するのは困難であるので、セキュリティレベルを向上させることができる。
【００５５】
また、本実施形態の携帯端末１によれば、タッチパネルディスプレイ２に対するスワイプ操作と当該スワイプ操作中に行われるクリック操作とからなる認証パターンを記憶しておき、携帯端末１の機能を実行する際に、タッチパネルディスプレイ２に対するスワイプ操作と当該スワイプ操作中に行われるクリック操作とを検出する。そして、検出されたスワイプ操作及び当該スワイプ操作中に行われるクリック操作と認証パターンとに基づいて、携帯端末１の機能の実行の有無を制御する。これにより、タッチパネルディスプレイ２の簡単な操作をもってして高度なセキュリティを実現することができる。
【００５６】
また、本実施形態の携帯端末１では、タッチパネルディスプレイ２に対するスワイプ操作と当該スワイプ操作中に行われるクリック操作とからなる認証パターンを記憶しておき、携帯端末１の機能を実行する際に、タッチパネルディスプレイ２に対するスワイプ操作と当該スワイプ操作中に行われるクリック操作とを検出する。そして、検出されたスワイプ操作及び当該スワイプ操作中に行われるクリック操作とからなる入力パターンと認証パターンとに基づいて、携帯端末１の機能の実行の有無を制御する。これにより、タッチパネルディスプレイ２の簡単な操作をもってして高度なセキュリティを実現することができる。
【００５７】
また、本実施形態の携帯端末１では、タッチパネル制御部２２は、タッチパネルディスプレイ２から離れる際にクリック操作を行った場合には、最初にタッチパネルディスプレイ２に触れてから離れるまでの操作と、再びタッチパネルディスプレイ２に触れてから離れるまでの操作とからなる一連の操作を、１回のスワイプ操作として処理している。この継続性により、例えば、物理的に離れた二箇所をなぞることにより形成される認証パターン（又は、入力パターン）など、より複雑な認証パターンを設定することが可能となり、セキュリティレベルを向上させることができる。
【００５８】
以上、一実施形態について詳細に説明した。しかし、本発明は上記実施形態に限定されるものではない。本発明は、その要旨を逸脱しない範囲で以下のような様々な変形が可能である。
【００５９】
上記実施形態の携帯端末１では、タッチパネルディスプレイ２に認証ポイント５１（５１ａ〜５１ｉ）を表示し、１つのスワイプ操作によって、これらの認証ポイント５１（５１ａ〜５１ｉ）をなぞることで入力パターンを入力し、認証パターンと照合する例を挙げて説明したが、本発明はこれに限定されるものではない。例えば、認証ポイント５１（５１ａ〜５１ｉ）を利用しないで、図８に示すような、スワイプ操作及びクリック操作からなる入力パターンＰ、言い換えれば、一筆書きによる１本の線（Ｐ１：軌跡）及び上記線上でクリックする点（Ｐ２，Ｐ３：押下位置）からなる入力パターンＰを利用することも可能である。この場合も、上記実施形態１の携帯端末１と同様に、スワイプ操作検出部３１及びクリック操作検出部３２により入力パターンを取得し、予めデータベース４に記憶されている上記入力パターンＰと同様の構成を有する認証パターンとの照合を行う。これにより、上記実施形態の携帯端末１と同様の効果を得ることができる。
【００６０】
なお、入力パターンＰと認証パターンとの照合には、例えば、スワイプ操作検出部３１及びクリック操作検出部３２により取得される情報の両方とも座標情報を利用したり、例えば、スワイプ操作検出部３１から検出できる情報、すなわち、一筆書きによる部分は、互いの形状の類似度を比較したりするようにしてもよい。また、上記タッチパネル制御部２２が有する機能を利用すれば、一筆書きだけでなく、２本の線に跨る入力パターンを用いて照合を行うことができるようになり、よりセキュリティレベルを向上させることができる。
【００６１】
また、上記実施形態の携帯端末１では、タッチパネルディスプレイ２に、図４に示すような３×３の認証ポイント５１（５１ａ〜５１ｉ）を表示する例を挙げて説明したが、本発明は、これに限定されるものではない。例えば、タッチパネルディスプレイ２に表示する認証ポイントの数は、２×２及び４×３などであってもよく、その配置数及び配置方法など、自由に設定することができる。
【００６２】
上記実施形態の携帯端末１では、携帯端末１のロック解除を行う場合を例に挙げて説明したが、これに限定されるものではない。例えば、所定のアプリケーションの起動を制御する際に、本発明を適用することも可能である。例えば、メールアプリケーションを起動するオブジェクトボタン（メニューボタン）がクリックされたとき、認証要求部２１が、図４に示すようなロック解除画面を表示するようにしてもよい。
【００６３】
上記実施形態の携帯端末１では、タッチパネルとして、操作面２ａに画像が表示されるタッチパネルディスプレイ２の例を挙げて説明したが、本発明はこれに限定されるものではない。例えば、認証パターンを表示しない方法で実行制御を行う場合には、画像は表示されないが、少なくともスワイプ操作とクリック操作を検出することができるタッチパネルを採用することも可能である。
【００６４】
また、上記実施形態では、本発明を携帯端末に適用した例を用いて説明したがこれに限定されるものではなく、据え置き型の端末、ＰＤＡ等に適用することも可能である。
【符号の説明】
【００６５】
１…携帯端末（情報端末）、２…タッチパネルディスプレイ（タッチパネル）、２ａ…操作面、３…検出部（検出手段）、４…データベース（記憶手段）、１０…クリック機構、１１…支持部材、１２…接触センサ、１３…基盤、２１…認証要求部、２２…タッチパネル制御部（入力制御手段）、２３…実行制御部（実行制御手段）、２５…認証部、２６…機能制御部、３１…スワイプ操作検出部、３２…クリック操作検出部、５１…認証ポイント、６１…ＣＰＵ、６２…主記憶部、６３…補助記憶部、６４…入力部、６５…出力部。
【図１】
2013137455.tif 000003
【図２】
2013137455.tif 000004
【図３】
2013137455.tif 000005
【図４】
2013137455.tif 000006
【図５】
2013137455.tif 000007
【図６】
2013137455.tif 000008
【図７】
2013137455.tif 000009
【図８】
2013137455.tif 000010
【国際調査報告】
2013137455.tif 000011
2013137455.tif 000012
2013137455.tif 000013
2013137455.tif 000014